(57)【要約】【課題】撮像面オートフォーカス制御を高速化する。【解決手段】撮像素子内の所定領域に位相差センサを含む撮像素子と、該撮像素子の任意の領域を読み出す読み出し手段と、撮像素子エリア内でフォーカス領域を選択するフォーカス領域選択手段と、該フォーカス領域を該読み出し手段により読み出し、該位相差センサ出力によるフォーカス制御を行う位相差フォーカス制御手段及び、画像出力によりフォーカス制御を行うコントラストフォーカス制御手段を持ち、該フォーカス領域内に該位相差センサを含まない場合は、位相差センサを含む様に読み出し領域を拡大し、該位相差フォーカス制御を行う。【選択図】  図１
2015203817.tif 000002
【特許請求の範囲】
【請求項１】
撮像素子内の所定領域に位相差センサを含む撮像素子と、該撮像素子の任意の領域を読み出す読み出し手段と、撮像素子エリア内でフォーカス領域を選択するフォーカス領域選択手段と、該フォーカス領域を該読み出し手段により読み出し、該位相差センサ出力によるフォーカス制御を行う位相差フォーカス制御手段及び、画像出力によりフォーカス制御を行うコントラストフォーカス制御手段を持ち、該フォーカス領域内に該位相差センサを含まない場合は、位相差センサを含む様に読み出し領域を拡大し、該位相差フォーカス制御を行うことを特徴とする撮像装置。
【請求項２】
前記フォーカス領域から前期位相差センサまでの最短距離を算出する距離算出手段を持ち、該距離算出手段により算出された距離が所定値以内であれば、位相差センサを含む様に読み出し領域を拡大することを特徴とする請求項１に記載の撮像装置。
【請求項３】
前記フォーカス領域から前期位相差センサ領域までの輝度変化量と色変化量を抽出する画像特徴量検出手段を有し、該画像特徴量検出手段による輝度変化量及び色変化量によって前記所定値及び前記読み出し領域の拡大量を可変することを特徴とする請求項２に記載の撮像装置。
【請求項４】
前記画像特徴量検出手段による輝度変化量及び色変化量が少ない場合には、前記所定値及び前記読み出し領域の拡大量を大きくする様に可変することを特徴とする請求項３に記載の撮像装置。
【請求項５】
被写体像を認識する被写体認識手段を有し、該被写体認識手段により認識した前記フォーカス領域内の被写体が位相差センサ領域も含む場合は、前記読み出し領域を拡大することを特徴とする請求項１に記載の撮像装置。
【発明の詳細な説明】
【技術分野】
【０００１】
本発明は、デジタルカメラ等のＡＦ制御を伴う撮像装置に関する。
【背景技術】
【０００２】
従来のオートフォーカス制御（以後ＡＦ制御）機能を持った一眼レフ、デジタルカメラ等の撮像装置においては、光学内のミラーによって被写体像をＡＦ用の位相差センサに導き、瞬時にＡＦ制御を行う位相差ＡＦ制御がある。
【０００３】
一方、小型化の為にミラーを持たないミラーレスカメラ等に関しては、撮像素子からの画像データを基に輝度変化の周波数成分を検波し、フォーカスレンズを駆動する。以上のフォーカスレンズの駆動と撮像素子からの読み出しと検波を、複数回繰り返し検波した値の“山”を検出する事で、フォーカス制御を行うコントラストＡＦ（以後ＴＶＡＦ）制御がある。
【０００４】
撮像素子とは別のＡＦセンサを持たない撮像装置ではＴＶＡＦ制御が必須であるが、上記述べた様に、複数フレームの画像データが必要となり合焦までに多くの時間を要し、シャッターチャンスを逃してしまう事があった。
【０００５】
そこで、ＡＦ制御を高速化する為に、フォーカス領域が特定される場合にはフォーカス領域のみ読み出しを行いＡＦ制御を高速化する特許が提案されている（特許文献１）。
【０００６】
図９にＡＦ領域のみを読み出すＴＶＡＦ制御を行うタイミングチャートを示す。９００でシャッタ−押下を検出すると９０１でＡＦ領域を設定し９０２で撮像素子からのＡＦ領域のみを読み出し、９０３で周波数検波を行い９０４でフォーカスを駆動する。以上の９０２〜９０４を複数回繰り返し、周波数検波を行い“山”を検出すると合焦し撮影動作を開始する。通常時は１／６０［ｓ］の読み出し時間を要するが、ＡＦ時の読み出し領域を限定する事で読み出し時間を短縮し、ＴＶＡＦを高速に行う事ができる。
【０００７】
また近年では更なるＡＦ高速化の為に、撮像素子の一部の領域に瞳分割されたＡ像（左側）、Ｂ像（右側）の位相差センサ画素（以後ＡＦ画素）が埋め込まれた撮像素子が開発されている。
【先行技術文献】
【特許文献】
【０００８】
【特許文献１】特開２０１０−０２１８４６号公報
【発明の概要】
【発明が解決しようとする課題】
【０００９】
しかしながら、ＡＦ画素が埋め込まれた撮像素子を用いたＡＦ制御においては、ＡＦ画素以外の領域ではＴＶＡＦ制御となってしまい、ＡＦ制御動作に時間がかかってしまい、駒速の低下、シャッターチャンスを逃してしまう事があった。
【課題を解決するための手段】
【００１０】
本発明に係る撮像装置の構成は、撮像素子内の所定領域に位相差センサを含む撮像素子と、該撮像素子の任意の領域を読み出す読み出し手段と、撮像素子エリア内でフォーカス領域を選択するフォーカス領域選択手段と、該フォーカス領域を該読み出し手段により読み出し、該位相差センサ出力によるフォーカス制御を行う位相差フォーカス制御手段及び、画像出力によりフォーカス制御を行うコントラストフォーカス制御手段を持ち、該フォーカス領域内に該位相差センサを含まない場合は、位相差センサを含む様に読み出し領域を拡大し、該位相差フォーカス制御を行うことを特徴とする。
【発明の効果】
【００１１】
本発明によれば、撮像素子内の所定領域に位相差センサを含む撮像素子と、該撮像素子の任意の領域を読み出す読み出し手段と、撮像素子エリア内でフォーカス領域を選択するフォーカス領域選択手段と、該フォーカス領域を該読み出し手段により読み出し、該位相差センサ出力によるフォーカス制御を行う位相差フォーカス制御手段及び、画像出力によりフォーカス制御を行うコントラストフォーカス制御手段を持ち、該フォーカス領域内に該位相差センサを含まない場合は、位相差センサを含む様に読み出し領域を拡大し、該位相差フォーカス制御を行う事で、高速にフォーカス制御を行う事が可能となる。
【図面の簡単な説明】
【００１２】
【図１】実施例における全体構成図
【図２】実施例における撮像素子の画素構成図
【図３】実施例におけるＬＶ時のタイミングチャート
【図４】実施例における全体フローチャート
【図５】実施例におけるＡＦ領域とＡＦ画素の相対関係１
【図６】実施例におけるＡＦ領域内にＡＦ画素を含む時のタイミングチャート
【図７】実施例におけるＡＦ領域とＡＦ画素の相対関係２
【図８】実施例におけるＡＦ領域内にＡＦ画素を含まない時のタイミングチャート
【図９】従来例におけるコントラストＡＦ制御のタイミングチャート
【発明を実施するための形態】
【００１３】
以下、図面を参照しつつ、本発明の実施形態を説明する。
【実施例】
【００１４】
図１は本発明における第一の実施形態であり、ＡＦ画素を含む撮像素子で構成されるデジタルカメラ等の撮像装置の構成図である。
【００１５】
１００は被写体像からの光量を収束、及び焦点を合わせるためのＡＦ機構、ズーム機構が組み込まれたレンズ群であり、レンズＤｒ（後述）により制御される。１０１はレンズＤｒ（後述）により制御され、撮像素子（後述）に入射される光量を可変する為の絞り部である。１０２はＳＨドライバ（後述）に制御され、撮像素子（後述）への光量を遮断し、蓄積時間を制御する為の後幕シャッタである。
【００１６】
１０３はＣＰＵ（後述）に制御され、コントラストＡＦ及び撮像素子（後述）に埋め込まれたＡＦ画素による位相差ＡＦ制御によりフォーカスレンズを駆動し、また露出制御の為の絞りを駆動するレンズＤｒである。１０５はＴＧ（後述）、画像処理部（後述）に制御されるＣＭＯＳセンサ等で、レンズを抜けた被写体象の光を電気信号に変換する為の半導体撮像素子であり、ＡＦ制御を行う為の位相差センサであるＡＦ画素が埋め込まれている。更に１０５は画像処理部（後述）の通信設定により任意の領域を読み出す事が可能である。
【００１７】
１０６は撮像素子（１０５）より出力される、光電変換された電気信号から信号レベルを取り出す為のＣＤＳ部及びアナログ画素信号をデジタル信号に変換するＡ／Ｄ変換部を含むＡＦＥ部であり、後段の画像処理部（後述）に画像データを転送する。１０７は１０５の撮像素子を制御するＴＧ部であり、各ラインのリセット開始タイミング（電子先幕動作）、読み出しタイミングの制御等を行うＴＧ部である。
【００１８】
１０８はＡＦＥより出力される画像信号を基にコントラストＡＦ制御、及び撮像素子のＡＦ画素による位相差制御の演算部、画像信号をγ・アパーチャ・カラーバランス等の画像処理を行い所望の静止画／動画フォーマットに変換する画像処理部である。更に画像処理部は表示部（後述）、タッチパネル（後述）を制御する。
【００１９】
１０９は１０８の画像処理部で生成されたＪＰＥＧ等の静止画フォーマットを記録する為のＳＤカード及びフラッシュメモリ等で構成される記録部である。１１０はシャッター釦等の操作ボタン群であり、ＣＰＵ（後述）により検出される。１１１は画像処理部から出力される画像信号をライブビュー画像（以後ＬＶ画像）として、表示する表示部である。
【００２０】
１１２は表示部の表示面に備えられたタッチパネルであり、主にユーザーが任意のフォーカス領域を指定するタッチパネルである。１１３はあらゆる制御を司るＣＰＵであり、主に画像処理部のＡＦ演算部の結果をうけて、レンズＤｒ経由でのＡＦ制御、ズーム制御、ＳＨ制御を行う。次にＡＦ画素が埋め込まれた撮像素子の説明を行う。図２は本実施例におけるＡＦ画素が埋め込まれた撮像素子である。図２に示す様に、撮像素子は３５００行×５２００列の画素構造を持ち、主に黒レベルをクランプする為に設けられた遮光領域の垂直ＯＢ部（２０１）、水平ＯＢ部（２０２）が存在し、基準の黒レベルを出力する。尚本実施例では、垂直ＯＢは２０行、水平ＯＢは８０列とする。
【００２１】
２００はＡＦ用の画素であり、図の様にセンサの有効画素の中心に図の様な領域に配置されるが、離散的に配置されるので、この領域の画素のうち約８０００画素がＡＦ用画素となる。尚ＡＦ画素は通常の画素構造と異なり、画素光路の構造を変える事で被写体からの光を射出瞳おいて左右分割を行い、左側の瞳を通過したものを受光するＡ像、右側を通過したものをＢ像とし、その２つの間隔により合焦位置を算出し位相差ＡＦ制御を行う。
【００２２】
よって、ＡＦ画素は通常の画素としての役割を持たないので、画像への影響を少なくするべく被写体の存在する確率の高い中心付近に更に離散的に配置され、左右上下の画素情報より補完する事が必要となる。また、本実施例では図２の画素構造は静止画撮影を画素構造であり、主にＡＦ制御・露出制御を行うＬＶ動作時は、フレームレートを６０［ｆｐｓ］とする為に垂直方向に１／５間引き、水平方向に３画素加算して読み出しを行う。故にＬＶ動作時は７００行×１７３３列の読み出し動作となり、離散的に配置されるＳＡＦ画素がＬＶ読み出し時に読み出される様に配置され、ＡＦ画素に関しては位相差情報が無くなってしまう為３画素加算は行わない様制御する。
【００２３】
まず、操作部（１１０）で電源オンすると、ＣＰＵ（１１３）は各初期設定を行い、ＬＶ画像読み出し動作を開始する。ＣＰＵ（１１３）はレンズＤｒ（１０３）に初期設定を行い、所望の絞り、フォーカス位置を設定する。画像処理部（１０８）はＬＶ画像の読み出しを行うべく、ＴＧ（１０７）に垂直１／５間引き読み出し、水平３画素加算の設定、蓄積時間の設定を行い撮像素子に対して、読み出し信号（後述）を出力し読み出しを開始する。
【００２４】
図３にＬＶ読み出しのイメージであるタイミングチャートを示す。尚本実施例の撮像素子は１行分のバッファしかもたない撮像素子を想定しており、各行毎にフォトダイオード上の電荷を吐き出すリセット動作を行い、リセット動作から、読み出し開始までの時間が蓄積時間となるローリングシャッタ制御で蓄積時間を制御する。
【００２５】
図３の３００は画像処理信号（１０８）よりＴＧへ出力されるＶＤ信号であり、１フレーム分の読み出し単位で出力され、図３に示す様に１フレームの時間は１／６０［ｓ］であり、１／６０［ｓ］毎にＶＤ信号が出力される。ＶＤ信号をうけたＴＧ（１０７）は、設定された蓄積時間と読み出しモードを（１／５間引き・水平３画素加算）基に、撮像素子（１０５）に対して、読み出し制御信号を出力する。
【００２６】
撮像素子（１０５）の内部では、ＴＧ（１０７）の制御信号をうけて、図３の３０１の様に、１行目の読み出しを開始する。１行目の読み出し終了後に、２〜５行目は間引いて、３０２で６行目の読み出しを開始し、引き続き３０３で１１行目の読み出しを開始する。以上を繰り返して、３４９６行目の最終行までの７００行分、すなわち１フレーム分の読み出しを終了する。
【００２７】
またＴＧ（１０７）は蓄積時間を撮像素子（１０５）に設定し、撮像素子内で各行の読み出し開始時間から、｛１フレームの時間（１／６０［ｓ］）−蓄積時間｝経過後にリセット信号を出力し、所望の行の電荷リセットを行う。図３の３０４は１行目のリセットタイミングであり、３０５の２フレーム目の読み出し開始タイミングまでの時間（Ｔｓ［ｓ］）が蓄積時間となる。以上の様に各行の蓄積時間を制御しつつ、１フレーム分（７００行分）の読み出しを行う。
【００２８】
読みだされた有効画像データは、ＡＦＥ内でＡ／Ｄ変換され、前述した垂直ＯＢ部（２０１）、水平ＯＢ部（２０２）の黒レベルを基準にクランプし、画像処理部（１０８）に出力する。画像処理部（１０８）は、メモリ（不図示）等にＡＦ画素が埋め込まれている座標を記録しており、ＡＦＥ（１０６）随時転送される画素データから、ＡＦ画素データを抽出する。更に抽出されたＡＦ画素から、ＡＦ領域に対応するＡＦ画素のＡ像、Ｂ像からデフォーカス量を算出し、ＣＰＵ（１１３）はデフォーカス量からフォーカス移動量を算出し、レンズＤｒ（１０３）を介してフォーカスレンズ（４００）を作動させ合焦させる。
【００２９】
ＡＦ領域は設定等で中央に設定されていれば、中央部のＡＦ画素からＡＦ制御を行い、顔認識等の被写体認識モードであれば、その被写体領域のＡＦ画素を抽出し、位相差ＡＦ制御を行う。またＡＦ領域にＡＦ画素がない場合は、画像処理部（１０８）で、読み出した画像よりＡＦ領域の画像領域を検波し、フォーカスレンズ（４００）を駆動しつつ、特定の周波数成分がピークとなるフォーカス位置を検出するコントラストＡＦ制御を行う。よってコントラストＡＦ制御は、フォーカスレンズ（４００）を駆動しつつ、複数フレーム分の画像を取り込みながら、周波数成分のピークを探す制御となるので、複数フレームの画像取得が必要となり時間を有する。
【００３０】
以上の様にＡＦを行う領域によって、位相差ＡＦ制御、コントラストＡＦ制御を切り分け、ＡＦ制御を行う。
【００３１】
引き続き、画像処理部（１０８）ではＡＦ画素に対しての補完処理を行い、ガンマ処理、カラーバランス処理等の画像処理を行い、１１１の表示部にＬＶ画像として表示する。表示部（１１１）にはＬＶ画像として１／６０［ｓ］毎に更新され、ユーザーは撮影する画像を確認する事ができる。また先述した様に、表示部（１１１）には表示部上の任意の領域を選択する事ができるタッチ部（１１２）があり、ユーザーがフォーカス領域を任意に選択する（タッチシャッター機能）事が可能である。
【００３２】
次に図４のフローチャートを基に、タッチシャッターにおける撮影動作を説明する。４００で電源オンすると、先述した様にＡＦ制御を行いつつ撮像素子からの画像データを読み出し４０１で表示部へＬＶ表示を行い、４０２へ遷移し撮影待状態となる。
【００３３】
４０２ではタッチ部（１１２）にユーザーが任意の領域を選択したかを判断し、選択されればタッチした領域にフォーカスを合わせて、撮影動作を行うタッチシャッター制御に入る。尚フォーカス制御の高速化の為に、フォーカスを行う領域のみを読み出しを行う。
【００３４】
４０３ではタッチ部でタッチされた領域を基に、画像処理部（１０８）は撮像素子（１０５）に対応した読み出し領域を決定する。図５にＡＦ画素を含む領域を選択した場合の撮像素子のＡＦ画素とＡＦ領域の関係を示し（ＯＢ領域は省略）、５００はユーザーが選択した領域を基に、画像処理ＩＣ（１０８）が確定したＡＦ領域である。尚ＡＦ領域の大きさは実際にタッチされた領域の中心から、縦横所定の画素数の領域に設定するものであり、形や大きさを変えても構わない。
【００３５】
画像処理部（１０８）によってＡＦ領域が四角の場合は、図５に示す様に始点座標（Ｘ１，Ｙ１）、終点座標（Ｘ２、Ｙ２）として、ＡＦ領域を決定する。４０４では５００の始点座標／終点座標を基に、ＡＦ領域内にＡＦ画素が存在するかを検出し、存在していれば４０５に遷移し、存在していなければ４０６に遷移する。ＡＦ領域にＡＦ画素が存在するのであれば、位相差ＡＦ制御が可能となり、そのままＡＦ領域を読み出し領域に設定する。具体的には４０５で、画像処理部（１０８）により撮像素子（１０５）に対して、読み出し領域である始点座標及び終点座標を設定し、ＬＶ画像よりも小さい領域の読み出しを行う。そして、先述した様に読みだされたＡＦ画素のＡ像、Ｂ象のデフォーカス量によりフォーカスレンズ（１００）の駆動量を算出し、フォーカスレンズを駆動させる。
【００３６】
ＡＦ領域にＡＦ画素が含まれる場合の一連の動きを図６のタイミングチャートで説明する。図６でＬＶ読み出し動作中にユーザーのタッチを検出すると、６００でタッチを検出し、６０１で領域を検出し、更に６０２でＡＦ領域の読み出しを行う。
【００３７】
読みだしたＡＦ領域のＡＦ画素により、フォーカスレンズ（１００）の移動量を算出し、６０２でフォーカスレンズを駆動して４１１に遷移し撮影動作に入る。また本実施例ではＡＦ領域としてＡＦ画素以外も読みだしているが、ＡＦ画素のみ読み出しても構わない。
【００３８】
次にＡＦ領域にＡＦ画素を含まない場合の制御を説明する。図４の４０４でＡＦ領域にＡＦ画素が含まれないと判断されると４０６に遷移し、ＡＦ領域とＡＦ画素までの最短距離の算出を行う。図７にＡＦ領域にＡＦ画素を含まない場合のＡＦ画素とＡＦ領域の関係を示し、７００は選択領域を基に画像処理部（１０８）が選定したＡＦ領域である。
【００３９】
４０６ではＡＦ領域とＡＦ画素の最短距離を算出するので、７００の領域の座標（Ｘ１、Ｙ２）から、ＡＦ画素の端部である７０１の画素の座標までの距離（Ｄ）を算出し４０７に遷移する。４０７では算出した距離Ｄと所定の距離Ｓとの比較を行い、Ｄ≦ＳであればＡＦ画素部の一部はＡＦ領域の被写体と近い焦点距離と判断し４０８に遷移する。また、Ｄ＞ＳであればＡＦ領域の被写体はＡＦ画素領域との相関関係は低いと判断し、４１０に遷移する。尚所定の距離Ｓは実験等で求められた数値であり、ＡＦ画素との位置関係（ＤとＳの相関関係）、ＬＶ時の被写体の画像情報（輝度変化、色変化）等により可変させるように制御しても良い。
【００４０】
４０８ではＡＦ領域から、ＡＦ画素を含む様に読み出し領域を広げるように拡大する。例えば図７の７００のＡＦ領域がＤ≦Ｓとすると、図７に示す様に水平・左方向にＸ１→Ｘ３、垂直・下方向にＹ２→Ｙ３領域を拡大し、始点座標（Ｘ３，Ｙ１）終点座標（Ｘ２、Ｙ３）とする。可変方向に関してはＡＦ画素に近づける方向に可変し、拡大量はＤとＳの関係やＬＶ時の画像情報（輝度変化、色変化）等で可変させる様に制御しても構わない。
【００４１】
次に図８のタイミングチャートを用いて４０９での位相差ＡＦ制御／コントラストＡＦ制御の説明を行う。図８の８００で、ＬＶ読み出し中にタッチを検出すると８０１で先述したようにＡＦ画素までの距離がＤ≦Ｓである事から領域拡大処理を行い、画像処理部（１０８）から撮像素子（１０５）へ拡大領域部の始点座標（Ｘ３，Ｙ１），終点座標（Ｘ２，Ｙ３）を転送する。
【００４２】
８０２では設定された拡大領域の読み出しを行い、読みだされたＡＦ画素を基にフォーカスレンズの移動量を算出し、８０３でフォーカスレンズの駆動を行う。更に８０４で読み出した拡大領域のうちＡＦ画素以外の画像情報を基に、周波数成分の検波を行う。
【００４３】
次に８０５ではＡＦ画素を含まないＡＦ領域に読み出し領域を設定し、８０６で周波数検波を行う。そして８０６の検波値が所定値以上であれば合焦していると判断する。また８０６の検波値で合焦していないと判断されれば、合焦するまで（検波値が所定値以上になるまで）フォーカス制御とＡＦ領域読み出しを繰り返してＴＶＡＦ制御を行う。この場合ＡＦ領域を読み出しを繰り返す事になるが、８０３の位相差ＡＦ制御により所望の焦点距離から近い状態でＴＶＡＦ制御を行う事になるので、少ない読み出し回数で合焦する事が可能となる。
【００４４】
８０４の検波値の方が８０６の検波値よりも所望の焦点距離に近い場合は、位相差ＡＦ前のフォーカス位置に戻しＴＶＡＦ制御を行う事で、焦点ズレを防ぐことができる。更には距離ＤとＳの関係、もしくは画像情報（輝度変化／色変化）、被写体認識の情報より、ＡＦ画素とＡＦ領域が同一被写体（同一焦点距離）とみなされるのであれば、８０５の読み出しを省略し、４１１に遷移し撮像動作に入っても良い。
【００４５】
４０７の距離判定でＤ＞Ｓの場合は４１０へ遷移し、従来例と同様（図９に示す様に）にＡＦ領域の読み出しと周波数検波、フォーカスレンズ駆動を合焦するまで繰り返すＴＶＡＦ制御を行う。尚本実施例では述べなかったが、ＬＶ時のＡＦ領域と実際のＡＦ領域が同じ場合には、すでに合焦しているので、そのまま撮影制御に入っても良い。更に顔検出機能などの被写体を認識する機能を有する場合には、ＡＦ領域で認識された被写体領域がＡＦ画素領域まで伸びていれば、所定の距離Ｓに関わらず被写体領域まで拡大しても良い。
【００４６】
また傾きを検出する加速度センサ等を実装し、タッチされた時のカメラの傾きを検出し、傾き量、傾きの向き、ＡＦ領域を基に拡大領域を可変する様に制御しても良い
この様に制御すれば、タッチパネル押下時にカメラを傾きによるＡＦ領域ずれにも対応する事が可能となる。
【００４７】
４１１では所定の露光条件を基に絞り（１０１）を制御し、画像処理部（１０８）は撮像素子（１０５）にＬＶ時とは異なる非加算読み出しの設定を行い、後幕シャッター（１０２）の軌道に合うように各ラインのリセット動作を行う。そして、所定の蓄積時間経過後に後幕シャッター（１０２）を駆動し遮光状態にした後３５００×５２００の画素を各行毎に読み出し、画像処理部（１０８）での画像処理後ＪＰＥＧ等の画像フォーマットに変換し記録部（１０９）への記録を行う。
【００４８】
以上述べてきた様にＡＦ領域とＡＦ画素の位置関係によって読み出し領域をＡＦ画素を含む様に拡大する事で、位相差ＡＦ制御でＡＦ制御を行う事が可能となり、ＡＦ制御を高速に行う事ができる。
【符号の説明】
【００４９】
１００  実施例におけるレンズ、１０１  実施例における絞り部、
１０２  実施例におけるシャッタ、１０３  実施例におけるレンズドライバ、
１０４  実施例におけるシャッタドライバ、１０５  実施例における撮像素子、
１０６  実施例におけるＡＦＥ、１０７  実施例におけるＴＧ、
１０８  実施例における画像処理部、１０９  実施例１における記録部、
１１０  実施例における操作部、１１１  実施例における表示部、
１１２  実施例におけるタッチ部、１１３  実施例におけるＣＰＵ、
２００  実施例におけるＡＦ画素領域、２０１  実施例における垂直ＯＢ部、
２０２  実施例における水平ＯＢ部、３００  実施例における垂直同期信号（ＶＤ）、
３０１  実施例における１行目の読み出し期間、
３０２  実施例における６行目の読み出し期間、
３０３  実施例における１１行目の読み出し期間、
３０４  実施例における１行目のリセットタイミング、
３０５  実施例における２フレーム目、１行目の読み出しタイミング、
４００  実施例における電源ＯＮフロー、４０１  実施例におけるＬＶ表示処理フロー、
４０２  実施例におけるタッチシャッター押下判断処理、
４０３  実施例における読み出し領域設定フロー、
４０４  実施例におけるＡＦ画素有無判断処理、
４０５  実施例における位相差ＡＦ制御フロー、
４０６  実施例における距離算出フロー、４０７  実施例における距離判定判断処理、
４０８  実施例における距離可変フロー、
４０９  実施例における位相差ＡＦ制御／コントラスト制御フロー、
４１０  実施例におけるコントラストＡＦ処理、４１１  実施例における撮影処理、
４１２  実施例におけるＡＦ領域、６００  実施例におけるタッチ検出タイミング、
６０１  実施例における領域設定タイミング、
６０２  実施例におけるＡＦ領域読み出し期間、
６０３  実施例におけるフォーカス制御タイミング、
７００  実施例におけるフォーカス領域、
７０１  実施例におけるＡＦ画素の距離測定ポイント、
８００  実施例におけるタッチ検出タイミング、
８０１  実施例における領域及び拡大設定タイミング、
８０２  実施例における拡大領域読み出し期間、
８０３  実施例におけるフォーカス制御タイミング、
８０４  実施例における周波数検波タイミング、
８０５  実施例におけるＡＦ領域読み出し期間、
８０６  実施例における周波数検波タイミング、
９００  従来例におけるシャッタ検出タイミング、
９０１  従来例における領域設定タイミング、
９０２  従来例におけるＡＦ領域読み出し期間、
９０３  従来例における周波数検波タイミング、
９０４  従来例におけるフォーカス制御タイミング
【図３】
2015203817.tif 000003
【図６】
2015203817.tif 000004
【図８】
2015203817.tif 000005
【図９】
2015203817.tif 000006
【図１】
2015203817.tif 000007
【図２】
2015203817.tif 000008
【図４】
2015203817.tif 000009
【図５】
2015203817.tif 000010
【図７】
2015203817.tif 000011